(57)【要約】      （修正有）【課題】前面を開放した筐体内に、側方から物品を出し入れの可能な収納部を備えた引出しを、引き出し可能に設けてなるキャビネットにおいて、引出しを格納時に、前板に設けたラッチが筐体の側框内面に突設した係合部に係合する構造とし、内部に収納する物品がラッチに当たって作動不能となり、引出しが引き出し不能となることを防止でき、物品を出し入れ時にラッチに物品が当たらないようにし、ラッチの破損を防止することが可能なキャビネットを提供する。【解決手段】引出し２は、筐体の開口部を塞ぐ前板４の裏面に、前板の横幅よりも狭い裏板５を後方へ突出状態で設けるとともに、左右一側面に側板９を有し、前板に設けた引手に連動して内外へ傾動するラッチ７を、裏板部の両側方位置に前板の裏面から後方へ向けて突出状態で設けるとともに、ラッチが裏板部の厚さ内に収まるように寸法設定した。【選択図】図７
2018071326.tif 000002
【特許請求の範囲】
【請求項１】
前面を開放した筐体内に、側方から物品を出し入れの可能な収納部を備えた引出しを、引き出し可能に設けてなるキャビネットであって、前記引出しは、前記筐体の開口部を塞ぐ前板の裏面に、該前板の横幅よりも狭い裏板部を後方へ突出状態で設けるとともに、左右一側面に側板を有し、前記前板に設けた引手に連動して内外へ傾動するラッチを、前記裏板部の両側方位置に前記前板の裏面から後方へ向けて突出状態で設けるとともに、該ラッチが前記裏板部の厚さ内に収まるように寸法設定したことを特徴とするキャビネット。
【請求項２】
前記引出しの前板の裏面と裏板部の側面とで形成する段部に、前記ラッチを前記前板の裏面から後方へ向けて突出状態で設けてなる請求項１記載のキャビネット。
【請求項３】
前記引出しの側板の外側面に、水平方向に延びた凹溝部を形成し、前記ラッチを該凹溝部内で前記前板の裏面から後方へ向けて突出状態で設けてなる請求項１記載のキャビネット。
【発明の詳細な説明】
【技術分野】
【０００１】
本発明は、キャビネットに係わり、更に詳しくは机の側位に設置して使用する引出しを有するキャビネットに関するものである。
【背景技術】
【０００２】
従来は、前面を開放した筐体内に、側方から物品を出し入れの可能な収納部を備えた引出しを、引き出し可能に設けてなるキャビネットは提供されている（特許文献１参照）。
【０００３】
この種のキャビネットは、机の側位に設置して袖キャビネットとして使用するが、筐体から手前に引き出した引出しは、机に着座している状態で、使用者の側が物品の出し入れ側となる。前記引出しの収納部には、Ａ列４番（Ａ４）のファイルケースを収納することができるようになっている。前記引出しは物品を収納すると重量が重くなるので、下面の前端部にキャスターを設け、軽い力で引き出せるようにしている。しかし、地震による全体の揺れや、筐体に予期しない衝撃が加わると、引出しが勝手に筐体から飛び出して危険である。
【０００４】
そのため、前記引出しには、前板に設けた引手の操作に連動して内外へ揺動するように左右にラッチを設け、筐体への押し込み格納状態で、該ラッチが筐体の側框内面に突設した係止部に係合し、不意に引出しが筐体から飛び出さないようにすることが望まれている。しかし、引出しの格納状態で、内部に収納する物品がラッチに当たってしまうと、ラッチが作動不能となり、引出しが引出し不能となってしまうことも想定される。
【先行技術文献】
【特許文献】
【０００５】
【特許文献１】実用新案登録第２５３７０７７号公報
【発明の概要】
【発明が解決しようとする課題】
【０００６】
そこで、本発明が前述の状況に鑑み、解決しようとするところは、前面を開放した筐体内に、側方から物品を出し入れの可能な収納部を備えた引出しを、引き出し可能に設けてなるキャビネットにおいて、引出しを筐体に押し込み格納時に、前板に設けたラッチが筐体の側框内面に突設した係合部に係合する構造とし、しかも引出しの格納状態で、内部に収納する物品がラッチに当たってラッチが作動不能となり、引出しが引き出し不能となってしまうことを防止し、更に引出しの収納部に物品を出し入れする際にラッチに物品が当たって、物品の出し入れに邪魔にならないようにするとともに、ラッチの破損を防止することが可能なキャビネットを提供する点にある。
【課題を解決するための手段】
【０００７】
本発明は、前述の課題解決のために、以下に構成するキャビネットを提供する。
【０００８】
（１）
前面を開放した筐体内に、側方から物品を出し入れの可能な収納部を備えた引出しを、引き出し可能に設けてなるキャビネットであって、前記引出しは、前記筐体の開口部を塞ぐ前板の裏面に、該前板の横幅よりも狭い裏板部を後方へ突出状態で設けるとともに、左右一側面に側板を有し、前記前板に設けた引手に連動して内外へ傾動するラッチを、前記裏板部の両側方位置に前記前板の裏面から後方へ向けて突出状態で設けるとともに、該ラッチが前記裏板部の厚さ内に収まるように寸法設定したことを特徴とするキャビネット。
【０００９】
（２）
前記引出しの前板の裏面と裏板部の側面とで形成する段部に、前記ラッチを前記前板の裏面から後方へ向けて突出状態で設けてなる請求項１記載のキャビネット。
【００１０】
（３）
前記引出しの側板の外側面に、水平方向に延びた凹溝部を形成し、前記ラッチを該凹溝部内で前記前板の裏面から後方へ向けて突出状態で設けてなる請求項１記載のキャビネット。
【発明の効果】
【００１１】
以上にしてなる本発明のキャビネットは、以下の効果を奏する。
【００１２】
（１）の構成によれば、ラッチが前板の裏板部よりも後方へ突出しないので、引出しの格納状態で、内部に収納する物品がラッチに当たってラッチが作動不能となり、引出しが引き出し不能となってしまうことを防止することができ、更に引出しの収納部に対する物品の出し入れ時に、物品がラッチに当たらないようにすることができ、もってラッチの破損を防止できるのである。勿論、引出しを筐体に押し込み格納状態で、ラッチが筐体に設けた係合部に係合するので、引出しが不意に筐体から飛び出ることがないのである。
【００１３】
（２）の構成によれば、引出しの収納部のスペースを最大限に確保しつつ、前板の裏面両側にラッチを設けることができる。
【００１４】
（３）の構成によれば、引出しの収納部のスペースを最大限に確保しつつ、前板の裏面両側にラッチを設けることができるとともに、筐体の側框内面に渡設したラッチを係合する係合部を凹溝部内に位置させ、側板と干渉しないようにすることができる。
【図面の簡単な説明】
【００１５】
【図１】本発明に係るキャビネットを示し、（ａ）は筐体に引出しを押し込み格納した状態の斜視図、（ｂ）は筐体から引出しを引き出した状態の斜視図である。
【図２】筐体から引出しを分離した状態の斜視図である。
【図３】引出しを格納した状態での縦断側面図である。
【図４】同じく引出し格納状態での縦断正面図である。
【図５】引出しを格納した状態での縦断側面図である。
【図６】引出しの前板に設けた引手とラッチの連動機構を示す省略斜視図である。
【図７】引出しのラッチを設けた部分の拡大側面図である。
【図８】引出しの側板の側から見た部分斜視図である。
【発明を実施するための形態】
【００１６】
次に、添付図面に示した実施形態に基づき、本発明を更に詳細に説明する。図１〜図５は本発明に係るキャビネットを示し、図６〜図８は本発明の要部の詳細を示し、図中符号１は筐体、２は引出し、３は収納部、４は前板、５は裏板（裏板部）、６は引手、７はラッチをそれぞれ示している。
【００１７】
本発明のキャビネットは、前面を開放した筐体１内に、側方から物品を出し入れの可能な収納部３を備えた引出し２を、引き出し可能に設けてなるキャビネットであって、前記引出し２は、前記筐体１の開口部８を塞ぐ前板４の裏面に、該前板４の横幅よりも狭い裏板５を後方へ突出状態で設けるとともに、左右一側面に側板９を有し、前記前板４に設けた引手６に連動して内外へ傾動するラッチ７，７を、前記裏板５の両側方位置に前記前板４の裏面から後方へ向けて突出状態で設けるとともに、該ラッチ７が前記裏板５の厚さ内に収まるように寸法設定したことを特徴とする。つまり、前記ラッチ７が前記裏板５の裏面より後方へ突出しないようにしている。
【００１８】
更に詳しくは、前記引出しの収納部３には、Ａ列４番（Ａ４）のファイルケースを収納することができるように、また机の寸法と合わせて規定の横幅になるように、キャビネット全体の横幅、つまり前記筐体１の横幅は４００ｍｍに設定されている。ここで、前記収納部３の奥行、つまり横方向の幅はＡ４の収納を考慮すれば３２０ｍｍを確保しなければならない。必然的に、筐体１と引出し２の構造部分の厚さに対する余裕は少なくなる。本発明では、筐体１と引出し２のクリアランスは最小限にすることができる構造となっている。
【００１９】
前記筐体１は、両側面板１０，１０の上下端に天板１１と底板１２を連結し、更に背面板１３を両側面板１０，１０、天板１１及び底板１２の後端部に連結し、前面を開放した箱状のものである。本実施形態では、前記筐体１は、木質材で作製されている。
【００２０】
前記引出し２の収納部３は、本実施形態では木質材で作製し、前記裏板５と背板１４の下端にベース板１５を連結し、左右一側面に前記側板９を連結し、更に前後の裏板５と背板１４及び側板９の間に多段に棚板１６，１６をＡ４のファイルケースを収納できる高さに支持し、更に最上段には上面板１７を連結して、側方から出し入れ可能となっている。ここで、前記上面板１７より上部は、上方から小物を出し入れすることが可能なトレー部１８となっている。尚、前記棚板１６，１６は高さ調節可能にピンダボで前記裏板５と背板１４とに支持している。
【００２１】
本実施形態では、前記引出し２の前板４は、図３及び図６に示すように、引手６とラッチ７，７及び連動機構を既製のキャビネットと共用するため、スチール製である。前記前板２には、裏面に該前板２の横幅よりも狭い裏カバー１９が一体的に設けられているものを使用する。そして、前記裏板５を前記前板４の裏カバー１９にネジ止め等によって連結し一体化して引出し２とする。本発明の「裏板部」は、前記裏板５と裏カバー１９を合わせた部分を示している。本発明において、「ラッチ７が裏板５の厚さ内に収まるように寸法設定したこと」は、ラッチ７が裏板部の厚さ内に収まることと同じ意味である。つまり、どちらもラッチ７が裏板５より後方へ突出しないのである。尚、前記裏カバー１９が存在しない前板４であれば、前記裏板５がそのまま裏板部となる。
【００２２】
前記前板４に設けた引手６とラッチ７，７の連動機構を、図６に基づき説明する。先ず、前板４の前面側の上部に設けた引手６は、前板４の内部で水平なシャフト２０により回転可能に支持されている。前記シャフト２０の両端には、爪片２１，２１を設けている。また、前板４の内部の両側には、鉛直方向の軸周りに回転可能に連動杆２２を設け、該連動杆２２の上端に設けた屈曲部２３を前記爪片２１に連係させるとともに、該連動杆２２の下端部に前記ラッチ７の基部を固定している。そして、前記引手６を手前側へ引くと、シャフト２０の爪片２１が連動杆２２の屈曲部２３を押し、前記ラッチ７が内側へ回転変位するようになっている。また、前記ラッチ７の基部には、樹脂バネ２４が一体的設けられ、該ラッチ７の先端部が外側へ向くように弾性付勢している。
【００２３】
また、前記ラッチ７には、先端部に係合孔２５が形成されており、また前記筐体１の側框内面、つまり両側面板１０，１０の内面の開口部８の近傍に係合部２６，２６を突設しており、前記引出し２を筐体１に押し込み格納した状態で、前記ラッチ７の係合孔２５が係合部２６に係合するようになっている。そして、前記引手６を手前に引いた際に、前記ラッチ７が内側に回転し、前記係合孔２５が筐体１の係合部２６から外れ、引出し２を引き出せる状態となる。
【００２４】
更に詳しくは、図７に示すように、前記ラッチ７は、前記裏板５と裏カバー１９の側方位置に前記前板４の裏面から後方へ向けて突出状態で設けるが、前板４の裏面から前記裏板５の裏面までの距離Ｄより、前記前板４の裏面から前記ラッチ７の先端までの長さＬが短くなるように設定している。そのため、引出し２の格納状態で、内部に収納する物品がラッチ７に当たってラッチ７が作動不能となり、引出し２が引き出し不能となってしまうことを防止することができ、更に前記裏板５より後方側に設けられた収納部３に対してファイルケース等の物品を出し入れする際に、該物品がラッチ７に当たることが防止できる。前記ラッチ７は、合成樹脂製であるので、硬い物品が激しく衝突すると破損する恐れがあるが、本発明ではそのようなことを未然に防いでいる。
【００２５】
ここで、図２及び図７に示すように、前記引出し２の前板４の裏面と裏板５及び裏カバー１９の側面とで形成する段部２７に、前記ラッチ７を前記前板４の裏面から後方へ向けて突出状態で設けている。尚、本発明における段部２７は、前板４の裏面と裏板部の側面で構成される部分を指している。一方、図３、図５及び図８に示すように、前記引出し２の側板９の外側面に、水平方向に延びた凹溝部２８を形成し、前記ラッチ７を該凹溝部２８内で前記前板４の裏面から後方へ向けて突出状態で設けている。尚、前記筐体１に側框内面に突設した前記係合部２６は、前記凹溝部２８内に位置し、引出し２との干渉がないようにしている。尚、前記引出し２の背板１４で、前記係合部２６に対応する高さ位置に切欠部２９を形成し、引出し２の筐体１への装着時に干渉しないようにしている。
【００２６】
また、前記引出し２の収納部３の出し入れ側、つまり見える側の前記裏板５と裏カバー１９の側面には、それらを隠蔽するための角柱状の化粧部材３０を添設している。
【００２７】
次に、前記筐体１に対する引出し２のガイド機構を図２〜図５に基づいて説明する。前記筐体１の底板１２の上面で、前記両側面板１０，１０から間隔を置いて固定板３１，３１を並行に突設し、両固定板３１，３１の下端及び上下中間位置に補強板３２，３２を連結し、下方の補強板３２は前記底板１２にも重合状態で連結している。ここで、下方の補強板３２の前後方向寸法は、前記底板１２の大きさと一致している。一方、前記引出し２のベース板１５は、前記側板９の下端よりも十分に高く、前記固定板３１の上端よりも若干高い位置に連結されており、前記側板９と対面する側、つまり前記収納部３の物品の出し入れ側の前記ベース板１５の下面端部に、支持板３３を前記側板９と平行に下設し、該支持板３３の前端は強度を高めるために、前記裏板５にも連結している。ここで、前記引出し２の側板９と前記支持板３３の下端は前記筐体１の底板１２に接触しない高さに設定する。
【００２８】
そして、前記筐体１の両固定板３１，３１の外面側にサスペンションレール３４の固定部３４Ａを取付けるとともに、前記引出し２の側板９の下端部内面と前記支持板３３の内面側に前記サスペンションレール３４の可動部３４Ｂを取付けて、該引出し２の収納部３を全開できるまで引き出すことができるようにしている。このように構成することにより、前記引出し２を引き出した際にも前記サスペンションレール３４が全く見えなくなり、外観性の向上が図れる。更に、前記引出し２のベース板１５の前端部の下面にキャスター３５を床面に設置するように設けている。尚、本実施形態では、前記キャスター３５を左右中央部に１個のみ設けたが、左右に２つ設けても良い。また、前記引出し２は前後に直線移動するだけであるので、前記キャスター３５は回転軸が固定されたコロタイプで良い。そして、前記引出し２を筐体１に押し込み格納した際に、前記キャスター３５を筐体１内に受け入れるために、前記底板１２の前端部は前端から後退させ、受け入れ空間３６を設けている。尚、前記底板１２の後端も前記背面板１３との間に配線コード３７の挿通空間３８を設けている。
【００２９】
最後に、本発明のキャビネットに設けた電源供給手段を図２〜図５に基づいて説明する。前記引出し２のトレー部１８の後端に位置する背板１４に、電源コードのプラグを接続可能なコンセント３９を、その差込口を前に向けて設け、該コンセント３９に接続した配線コード３７を背板１４の背面に沿わせて下方へ導きく。前記筐体１の底板１２、正確には下方の補強板３２と前記引出し２のベース板１５との間で、前記両固定板３１，３１の間の空間を利用して、ケーブル保護部材４０を配置し、該ケーブル保護部材４０の中を通した前記配線コード３７を前記挿通空間３８から下方へ引き出している。ここで、前記ケーブル保護部材４０は、本実施形態では所定の曲率半径よりも小さく曲がらない構造のものであり、Ｕ字状に屈曲した部分を前側に配置し、一端を前記引出し２のベース板１５の下面後端に取付けるとともに、他端を前記筐体１の底板１２の上面に接合した補強板３２の上面後部に取付けている。そして、前記引出し２を引き出し、押し込み動作時に、前記ケーブル保護部材４０は、屈曲部を移動させながら変形する。
【００３０】
前記引出し２のトレー部１８は、ノートパソコンやタブレット等の電子機器を収納し、前記コンセント３９に電源コードを接続した状態で、引出し２を筐体１に押し込み格納することにより、これらの電子機器を使用しないときに充電をすることができる。尚、前記トレー部１８は、収納物が落下しないように、前記上面板１７の上面端部で前記側板９と対向する位置にエッジ部材４１を取付けている。
【００３１】
尚、前板４以外もスチール製にすることも可能であり、その場合、裏板部は裏カバー１９のみとなるような構造になることもある。
【符号の説明】
【００３２】
１  筐体、                ２  前板、
３  収納部、              ４  前板、
５  裏板（裏板部）、        ６  引手、
７  ラッチ、              ８  開口部、
９  側板、                １０  側面板、
１１  天板、              １２  底板、
１３  背面板、            １４  背板、
１５  ベース板、          １６  棚板、
１７  上面板、            １８  トレー部、
１９  裏カバー（裏板部）、  ２０  シャフト、
２１  爪片、              ２２  連動杆、
２３  屈曲部、            ２４  樹脂バネ、
２５  係合孔、            ２６  係合部、
２７  段部、              ２８  凹溝部、
２９  切欠部、            ３０  化粧部材、
３１  固定板、            ３２  補強板、
３３  支持板、            ３４  サスペンションレール、
３４Ａ  固定部、          ３４Ｂ  可動部、
３５  キャスター、        ３６  受け入れ空間、
３７  配線コード、        ３８  挿通空間、
３９  コンセント、        ４０  ケーブル保護部材、
４１  エッジ部材。
【図１】
2018071326.tif 000003
【図２】
2018071326.tif 000004
【図３】
2018071326.tif 000005
【図４】
2018071326.tif 000006
【図５】
2018071326.tif 000007
【図６】
2018071326.tif 000008
【図７】
2018071326.tif 000009
【図８】
2018071326.tif 000010